(57)【要約】      （修正有）【課題】歩行者、作業者などが誤って接触した場合にもケガ、打撲などを負おうことがなく、看板が風などにより倒れた場合、あるいは格納、運搬時などの取り扱い中にも外周部が保護されて看板の長期間の使用を可能にする看板用プロテクターを提供する。【解決手段】看板Ｐの外周部Ｆの前面部Ｆ１及び側面部Ｆ２に適合する略Ｌ字状の内側面を有し、外側面３が円弧状に膨出させられた縦長の軟質樹脂中空体１と、看板のコーナーに配置され前記軟質樹脂中空体１と連結される中空部を有するコーナー部材８とからなり、それぞれ取付孔５、１３が設けられてなる看板用プロテクタ−、好ましくは、前記縦長の軟質樹脂中空体１が切断容易な連結部を介して複数連続させられてなる看板用プロテクター。【選択図】図７
0003168634.tif 000002
【実用新案登録請求の範囲】
【請求項１】
看板の外周部の前面部及び側面部に適合する略Ｌ字状の内側面を有し外側面が円弧状に膨出させられた縦長の軟質樹脂中空体と、看板のコーナーに配置され前記軟質樹脂中空体と連結される軟質樹脂からなり中空部を有するコーナー部材とからなり、それぞれ取付孔を有することを特徴とする看板用プロテクター。
【請求項２】
縦長の軟質樹脂中空体が切断容易な連結部を介して複数連続させられてなることを特徴とする請求項１に記載の看板用プロテクター。
【請求項３】
前記看板用プロテクターがブロー成形されたポリエチレンであることを特徴とする請求項１又は２に記載の看板用プロテクター。
【考案の詳細な説明】
【技術分野】
【０００１】
本考案は、歩行者、作業者などの安全と看板の変形、損傷などを防止する看板用プロテクターに関する。
【背景技術】
【０００２】
従来、歩行者、作業者などの安全と看板の変形、損傷などを防止するために看板の外周フレームに緩衝材を設けることが行われている。
【先行技術文献】
【特許文献】
【０００３】
従来、標識本体と該標識本体を固定する外周フレームとからなる看板の前記外周フレーム、さらにその支持脚にコ字状断面の衝撃緩衝材を取り付けた自立型看板が提案されている（実用新案登録第３１３６２４１号公報）。
【０００４】
その他、看板の外周部に沿ってパイプを取り付け、かつ該パイプをクッション材よりなる弾性筒体で被覆して構成したケガ防止用ラバー付看板が提案されている（特開平８−２６２９８５号公報）。
【特許文献１】実用新案登録第３１３６２４１号公報
【特許文献２】特開平８−２６２９８５号公報
【考案の概要】
【考案が解決しようとする課題】
【０００５】
本考案は、歩行者、作業者などが誤って接触した場合にもケガ、打撲などを負うことがなく、看板が風などにより倒れた場合、あるいは格納、運搬時などの取り扱い中に外周部が変形、損傷することを防止する看板用プロテクターに関するもので、特に、中空部を有する構造とすることにより歩行者、作業者などの安全性の向上とともに、看板の保護及び長期間の使用を可能にする看板用プロテクターを提供することを目的とする。
【課題を解決するための手段】
【０００６】
前記目的を達成するため、本考案の看板用プロテクターは、看板の外周部の前面部及び側面部に適合する略Ｌ字状の内側面を有し外側面が円弧状に膨出させられた縦長の軟質樹脂中空体と、看板のコーナーに配置され前記軟質樹脂中空体と連結される軟質樹脂からなり中空部を有するコーナー部材とからなり、それぞれに取付孔を有することを特徴とする（請求項１）。
【０００７】
前記構成の本考案の看板用プロテクターはブロー成形によって構成される。また、前記縦長の樹脂中空体の縦の長さは任意であり、使用及び取り扱い易い長さ及び衝撃による中空部の変形を防ぐことを考慮して、例えば、略５ｃｍ程度の長さに形成され、さらにそれらの複数が予め連結される。
【０００８】
前記縦長の軟質樹脂中空体は、看板の外周部の前面部及び側面部に適合させられて、予め設けられている取付孔を利用してビス、ねじ等によって取り付けられる。同時に、看板のコーナーには軟質樹脂からなり中空部を有するコーナー部材が配置され、予め設けられている取付孔を利用してビス、ねじ等によって取り付けられて前記縦長の軟質樹脂中空体と一体にされる。
【０００９】
前記本考案に係る看板用プロテクターは、軟質樹脂からなりかつ中空部を有するため緩衝効果が優れているとともに看板の外周部に容易に適合させることができる。
【００１０】
さらに、歩行者、作業者などが誤って接触した場合もケガ、打撲などを負おうことがなく、看板が風などにより倒れた場合、あるいは格納、運搬時などの取り扱い中も外周部が保護され、看板の長期間の使用を可能にする。
【００１１】
本考案の実施の一形態は、前記縦長の軟質樹脂製中空体が切断容易な連結部を介して複数連続させられてなることを特徴とする（請求項２）。この実施の一形態によれば、予め看板の外周部の長さに合わせて切断して一体に取り付けることができ、また、後に部分補修が可能であり便利である。
【００１２】
本考案の他の実施の一形態は、前記看板用プロテクターがブロー成形されたポリエチレンであることを特徴とする（請求項３）。この実施の実施の一形態によれば、成形及び必要とする緩衝効果を容易に得ることができる。もっとも、本考案の軟質樹脂材はポリエチレンに限るものではない。
【考案の効果】
【００１３】
本考案によれば、歩行者、作業者などが誤って接触した場合にもケガ、打撲などを負うことがなく、看板が風などにより倒れた場合、あるいは格納、運搬時などの取り扱い中にも外周部が保護されて看板の長期間の使用を可能にするなどの効果が得られる。
【図面の簡単な説明】
【００１４】
【図１】本考案の係る看板用プロテクターの一部省略正面図である。
【図２】図１のＡ−Ａ線断面図である。
【図３】図１のＢ−Ｂ線断面図である。
【図４】図１のＣ−Ｃ線断面図である。
【図５】コーナー部材の平面図である。
【図６】図５のＤ−Ｄ線断面図である。
【図７】看板への取り付け過程を示す要部の分解斜視図である。
【図８】看板への取り付け状態を示す一部分解斜視図である。
【考案を実施するための形態】
【００１５】
本考案の看板用プロテクターは、ポリエチレンなどの軟質樹脂材料によりブロー成形手段により製造される。まず、縦長の軟質樹脂中空体１について述べる。
【００１６】
前記縦長の軟質樹脂中空体１は看板Ｐの外周部Ｆの直線部、すなわち、看板Ｐの上部及び両側に取り付けられる。具体的には、前記縦長の軟質樹脂中空体１は、看板Ｐの外周部Ｆの前面部Ｆ１及び側面部Ｆ２に適合する略Ｌ字状の内側面２を有し、外側面３が円弧状に膨出させられて内部に中空部４が形成される。
【００１７】
さらに、前記外周部Ｆに取り付けた場合に該外周部Ｆの前面部Ｆ１と対応する位置に取付孔５が設けられる。図面実施例では、前記取付孔５は、図２及び図３に示すように前記内側面２と外側面３とを重ね合わせた状態に設けている。
【００１８】
図１及び図２、さらに図７及び図８には、前記縦長の軟質樹脂中空体１が切断容易な連結部６を介して複数連続させられている。なお、前記連結部６にはブロー成形時に空気が通過する通気孔７が形成されている。
【００１９】
つぎに、軟質樹脂からなる中空部を有するコーナー部材８について説明する。図５及び図６に前記コーナー部材８を示す。該コーナー部材８は前記縦長の軟質樹脂中空体１と同様にポリエチレンなどの軟質樹脂材料によりブロー成形手段により構成される。    
前記コーナー部材８は、看板Ｐのコーナー部の前面部Ｆ１及び側面部Ｆ２、さらに上面部Ｆ３に適合する底面９を有し、上面１０が平滑面とされて内部に中空部１１が形成される。さらに、その直角方向にそれぞれ前記縦長の軟質樹脂中空体１の端部に被さる接合部１２が形成される。そして、前記上面１０に取付孔１３が設けられる。図面実施例では、前記取付孔１３は図６に示すように前記内側面９と正面１０とを重ね合わせた状態に設けている。図中、１４はビス又はねじなどの取り付け部材である。
【００２０】
図７は、本考案の看板用プロテクタ−の看板Ｐへの取り付け過程を示す要部の分解斜視図であり、図８は、看板Ｐへの取り付け状態を示す一部分解斜視図である。前記縦長の軟質樹脂中空体１は、予め複数連続させられており、看板Ｐの大きさに合わせて連結部６を切断して必要な長さにして使用される。
【００２１】
前記図７及び図８に示すように、前記縦長の軟質樹脂中空体１は、看板Ｐの直線部、すなわち、看板の上部及び両側にビス又はねじなど１４によって取り付けられる。また、前記コーナー部材８は、前記縦長の軟質樹脂中空体１が突き合わされる看板Ｐのコーナー部にビス又はねじなど１４によって取り付けられるものである。なお、部分補修時などの前記軟質樹脂中空体１同士の連結は単なる突合せで足りるものである。
【符号の説明】
【００２２】
１    縦長の軟質樹脂中空体
２    縦長の軟質樹脂中空体の内側面
３    縦長の軟質樹脂中空体の外側面
４    中空部
５    取付孔
６    連結部
８    コーナー部材
９    コーナー部材の背面
１０  コーナー部材の正面
１１  中空部
１３  取付孔
【図１】
0003168634.tif 000003
【図２】
0003168634.tif 000004
【図３】
0003168634.tif 000005
【図４】
0003168634.tif 000006
【図５】
0003168634.tif 000007
【図６】
0003168634.tif 000008
【図７】
0003168634.tif 000009
【図８】
0003168634.tif 000010